(57)【要約】【課題】スマートカードとメモリーカードのチップ効果を有すると共に、アンテナを有する電子装置と組み合わせると、情報の伝送を行うことができるＩＣチップの端子構造を提供する。【解決手段】本考案は、チップベース１０と、接触端子１１と、記憶端子１２と、アンテナ端子１３とを有し、該チップベース１０にチップが設けられ、該接触端子１１は、該チップと接続されると共に、４個一組で対向するように該チップベース１０に設けられ、該記憶端子１２は、該チップと接続されると共に、８個一組で該２組の接触端子１１との間に設けられ、該アンテナ端子１３は、該記憶端子１２の両側に位置されると共に、該２組の接触端子１１の間に設けられることを特徴とするものである。【選択図】図１
0003146036.tif 000002
【実用新案登録請求の範囲】
【請求項１】
チップベースと、接触端子と、記憶端子と、アンテナ端子とを有し、該チップベースにチップが設けられ、該接触端子は、該チップと接続されると共に、４個一組で対向するように該チックベースに設けられ、該記憶端子は、該チップと接続されると共に、８個一組で該２組の接触端子の間に設けられ、該アンテナ端子は、該記憶端子の両側に位置されると共に、該２組の接触端子の間に設けられることを特徴とする、ＩＣチップの端子構造。
【考案の詳細な説明】
【技術分野】
【０００１】
本考案は、特にスマートカード（smart  card）とメモリーカード（memory card）のチップ効果を有すると共に、アンテナを有する電子装置と組み合わせると、情報やデータの伝送を行うことができるＩＣチップの端子構造に関するものである。
【背景技術】
【０００２】
プラスチックカードは、もう既に従来のように紙を使用する商業行為や資料伝送に取って代わり、例えば、キャッシュカードは札の使用に取って代わり、メモリーカードは従来の紙で資料や図を記録することに取って代わり、今のプラスチックカードに更にチップが設けられるので、プラスチックカードの使用範囲と能力を大幅に向上する。
【０００３】
チップを有するプラスチックカードは、二種類があり、１つは、使用者の資料を記載することにより商業行為を行うスマートカード（例えばキャッシュカード）であり、２つは、メモリーカード（例えばデジカメや携帯電話に用いられるメモリーカード）である。又、従来のチップ付きスマートカードは、二種類があり、１つは、接触式チップ付きスマートカード（例えばキャッシュカード）であり、２つは、感応式チップ付きスマートカード（例えばＳｕｉｃａ定期乗車券）である。
【０００４】
図２に示すように、従来の接触式チップ付きスマートカードは、カード本体（２０）を有し、該カード本体（２０）の所定位置にチップ（２１）が設けられ、該チップ（２１）に互いに対向するように複数の端子（２２）が設置され、該端子（２２）は夫々Ｖｃｃ/Ｖｓｓ（電源端子）、ＩＯ（スマートカード信号端子）、ＣＬＫ（振動周波信号端子）、ＲＳＴ（回復信号端子）、ＬＡ/ＬＢ（非接触式アンテナ端子）及びＮＣ（効用なし）であり、しかし、このようなチップ（２１）の端子（２２）は、電子装置（例えば預金機）の内部に設けられる端子と接触することで資料の伝送を行うことができるため、遠距離での資料伝送の功能を有しない。
【０００５】
図３に示すように、従来の感応式チップ付きスマートカードは、カード本体（３０）と、該カード本体（３０）に設けられるチップ（３１）と、該チップ（３１）と接続するように該カード本体（３０）に設置されるリング状アンテナ（３２）と、該チップ（３１）とアンテナ（３２）を包覆するように該カード本体（３０）と一体に粘着されるカバー（３３）とを有する。
【０００６】
該感応式チップ付きスマートカードにおけるチップ（３１）は電子装置と接触せずに、アンテナ（３２）によって資料を伝送することができるが、この構造のスマートカードは、アンテナ（３２）の設置が必要となるため、製造コストを増加してしまうという問題があった。更に、前記のチップの記憶容量は大きくないため、更に改良する必要がある。
【考案の開示】
【考案が解決しようとする課題】
【０００７】
そこで、案出されたのが本考案であって、スマートカード（smart  card）とメモリーカード（memory card）のチップ効果を有すると共に、アンテナを有する電子装置と配合すると、情報やデータの伝送を行うことができるＩＣチップの端子構造を提供することを目的としている。
【課題を解決するための手段】
【０００８】
本願の請求項１の考案は、チップベースと、接触端子と、記憶端子と、アンテナ端子とを有し、該チップベースにチップが設けられ、該接触端子は、該チップと接続されると共に、４個一組で対向するように該チックベースに設けられ、該記憶端子は、該チップと接続されると共に、８個一組で該２組の接触端子の間に設けられ、該アンテナ端子は、該記憶端子の両側に位置されると共に、該２組の接触端子の間に設けられることを特徴とするＩＣチップの端子構造、を提供する。
【考案の効果】
【０００９】
本考案は上記の課題を解決するものであり、チップベースに接触端子、記憶端子及びアンテナ端子が設けられることにより、従来のスマートカード及びメモリーカードのように二重効果を達成することができ、更に、該アンテナ端子を有するので、アンテナを有する電子装置に使用すると、該電子装置のアンテナによって資料を伝送することができ、非常に便利である。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係るＩＣチップの端子構造を示す平面図である。図１に示すように、本考案に係わるＩＣチップの端子構造は、チップベース（１０）と、接触端子（１１）と、記憶端子（１２）と、アンテナ端子（１３）とを有し、該チップベース（１０）にチップ（符号なし）が設けられ、該接触端子（１１）は、該チップと接続されると共に、４個一組で対向するように該チップベース（１０）に設けられ、該記憶端子（１２）は、該チップと接続されると共に、８個一組で該２組の接触端子（１１）の間に設けられ、該アンテナ端子（１３）は、該記憶端子（１２）の両側に位置されると共に、該２組の接触端子（１１）の間に設けられる。
【００１２】
本考案に係わるＩＣチップの端子構造は、チップベース（１０）にアンテナ端子（１３）、記憶端子（１２）及び接触端子（１１）が設けられるので、スマートカード及びメモリーカードのように二重効果を達成することができ、該接触端子（１１）は、従来のスマートカードと等しい効果を提供でき、該記憶端子（１２）は、従来のメモリーカードと等しい効果を提供でき、更に、該アンテナ端子（１３）を有するので、本考案をアンテナを有する電子装置に使用すると、該電子装置のアンテナによって資料を伝送することができ、故にカードにアンテナなどの構造を設置する必要がなく、カードの製造コストの降下効果を達成できる。
【００１３】
又、前記チップベース（１０）は、例示するように四方形だけではなく、円形や楕円形などの形状になることができる。
【産業上の利用可能性】
【００１４】
本考案は、上記の構成を有するので、チップベースに接触端子、記憶端子及びアンテナ端子が設けられることにより、従来のスマートカード、及びメモリーカードのように二重効果を達成することができる。更に、該アンテナ端子を有するので、アンテナを有する電子装置に使用すると、該電子装置のアンテナによって、資料を伝送することができ、非常に便利である。
【図面の簡単な説明】
【００１５】
【図１】本考案に係るＩＣチップの端子構造を示す平面図
【図２】従来の接触式チップ付きスマートカードの分解斜視図
【図３】従来の感応式チップ付きスマートカードの分解斜視図
【符号の説明】
【００１６】
１０        チップベース
１１        接触端子
１２        記憶端子
１３        アンテナ端子
２０        カード本体
２１        チップ
２２        端子
３０        カード本体
３１        チップ
３２        アンテナ
３３        カバー
【図１】
0003146036.tif 000003
【図２】
0003146036.tif 000004
【図３】
0003146036.tif 000005